(57)【特許請求の範囲】
【請求項１】
導爆線巻装具に巻装された導爆線を有する衝撃波利用捕鯨用銛先であって、該導爆線を起爆する雷管の底部と、これに対向する導爆線の先端と、が接触された衝撃波利用捕鯨用銛先において、
該導爆線の一端が水溶紙からなる導入パイプに導入され、
該導爆線巻装具が、水溶紙からなることを特徴とする衝撃波利用捕鯨用銛先。
【請求項２】
前記導爆線巻装具が、厚さ１．５から８．０ｍｍの水溶紙からなり、筒状であることを特徴とした請求項１に記載の衝撃波利用捕鯨用銛先。
【発明の詳細な説明】
【技術分野】
【０００１】
本発明は、鯨体命中時に確実に起爆し、不命中時には安全に回収できる衝撃波利用捕鯨用銛先に関する。
【背景技術】
【０００２】
導爆線の衝撃波を利用した捕鯨用銛先には、通常、さく薬としてペンスリット等の高性能爆薬を心薬とする高爆速の導爆線を充填したものが知られている。（例えば、特許文献１参照）
【０００３】
衝撃波利用捕鯨用銛先は、鯨体不命中時にこの銛先を海中より回収する際、雷管の不慮の爆発によって導爆線に伝爆するという危険性を有する。
【０００４】
特許文献２及び３では、導爆線を充填した捕鯨用銛先において、該導爆線を起爆する雷管の底部と、これに対向する導爆線の先端との間に空隙部を設け、かつその空隙部に海水を吸収して膨潤する吸水性樹脂を介在させたものが開示されている。そのような構造にすることで、鯨に不命中になった銛先の雷管が不慮に爆発しても、雷管の起爆力は海水によって膨潤した吸水性樹脂によって弱められ、導爆線には伝爆せず不爆となり、安全に回収できるようにしている。
【０００５】
従来、衝撃波利用捕鯨用銛先において空隙部に吸水性樹脂を介在させる際には、導爆線導入パイプ内の空隙部に、（イ）所定量の粉末状吸水性樹脂を不織布で包んだものを充填し金網で蓋をする、（ロ）粉末状吸水性樹脂を充填し不織布で蓋をする、（ハ）吸水性のシートを折りたたみ充填する等の手段を用いていた。
【０００６】
しかし、それら空隙部に吸水性樹脂を充填する構造の衝撃波利用捕鯨用銛先においては、該空隙部と、該空隙部に充填させる吸水性樹脂と、の位置的関係、量的関係の調整に精度が求められ、使用する導爆線あるいは対象とする鯨体に適合させた種々の大きさの銛先に応じ、その都度、最適量、最適充填形態を試行錯誤により探索する必要があり、その設計が非常に困難であった。
そのため、そのような構造を有する衝撃波利用捕鯨用銛先は、命中時の確実な起爆性あるいは、不命中時の安全な回収の点で信頼性が不十分であり、新規な構造のものが求められている。
【０００７】
【特許文献１】特開昭５７−２１７９７号公報
【特許文献２】特開昭５９−２１９９８号公報
【特許文献３】特開２００７−３３３３３３号公報
【発明の開示】
【発明が解決しようとする課題】
【０００８】
本発明の目的は、上記した課題に鑑みなされたものであり、製造工程がより簡便で、かつ、鯨体に命中したときには、導爆線へ確実に伝爆でき、一方、不命中時には、導爆線への伝爆が妨げられ、作業者が安全に回収することができる衝撃波利用捕鯨用銛先を提供することである。
【課題を解決するための手段】
【０００９】
本発明は以下の（１）又は（２）に示すものである。
【００１０】
（１）導爆線巻装具に巻装された導爆線を有する衝撃波利用捕鯨用銛先であって、該導爆線を起爆する雷管の底部と、これに対向する導爆線の先端と、が接触された衝撃波利用捕鯨用銛先において、
該導爆線の一端が水溶紙からなる導入パイプに導入され、
該導爆線巻装具が、水溶紙からなることを特徴とする衝撃波利用捕鯨用銛先。
【００１１】
（２）前記導爆線巻装具が、厚さ１ｍｍ以上の水溶紙からなり、筒状であることを特徴とした前記（１）に記載の衝撃波利用捕鯨用銛先。
【発明の効果】
【００１２】
導爆線の一端を水溶紙からなる導入パイプに導入し、先端に空隙部を設けず、次いで水溶紙からなる固定具に巻装することで得られる衝撃波利用捕鯨用銛先は鯨命中時、信管の底部と対向する導爆線の先端が接触しているため、信管が爆発すれば導爆線に確実に伝爆する。また鯨不命中時には、導入パイプや導爆線巻装具が水に溶け、導爆線の固定が外れるため、信管と導爆線が離間し、万一雷管が暴発した場合でも、導爆線に伝爆せず、安全に回収することができる。
【００１３】
また従来、不命中時の安全構造に使用していた吸水性樹脂を使用する必要がなくなり、簡便に製造することができる。
【００１４】
さらに導爆線巻装具を筒状とすることで、導爆線の長さを調節しやすくなり、鯨に併せて高威力又は低威力にすることができる。
【００１５】
さらに導爆線巻装具の厚さを１ｍｍ以上することで、導爆線の巻き強度が高くても変形しない固定具となる。
【発明を実施するための最良の形態】
【００１６】
以下、本発明を図面に基づいて説明する。
【００１７】
図１は本発明の衝撃波利用捕鯨用銛先を銛頭部にネジ込み装着した縦断面図である。先端に飛しょう状態のバランスを調節する銛先前蓋１を有する鋼製外筒２の内部には、導爆線巻装具３にコイル状に巻かれた導爆線４が収納されている。この導爆線４の一端は、コイルの中心軸に沿って設けられた導爆線導入パイプ５に挿入され、その導爆線先端部は雷管７の雷管底部と接触している。銛先は銛頭部１４にネジ１１によって固定されている。信管部は雷管７と、摩子棒１２、摩子薬１３よりなり、命中時に引き抜かれる摩子棒１２は摩子薬１３中を貫通しており、また、摩子薬１３の端面は雷管７と同一軸上で相対している。
【００１８】
この衝撃波利用捕鯨用銛先を装着した銛が鯨体に発射され命中すると同時にワイヤーにより摩子棒１２が引っ張られ、その摩擦により摩子薬１３が発火し、雷管７がその火を受けて爆発し、接触する導爆線４を起爆させる。導爆線４の爆発により、鋼製外筒は鯨体内において破壊されるが、高爆速（６０００〜７０００ｍ／ｓ）の導爆線により発せられる衝撃波の作用によって、鯨を即死せしめることができる。不命中時に海水に没した場合は、鋼製外筒２に穿設した海水流入孔１５を通って海水が銛先中に流入する。一般に銛は高速度で打出されるために、飛しょう中に銛先内部は真空状態となるため、海中に没入すると海水が速やかに浸入し、導爆線巻装具３や導爆線導入パイプ５にまで到達する。
【００１９】
本発明は、上記した衝撃波利用捕鯨用銛先に係るものであり、導爆線巻装具３及び導爆線導入パイプ５が共に水溶紙からなることを特徴とした衝撃波利用捕鯨用銛先である。
【００２０】
さらに本発明は、上記した衝撃波利用捕鯨用銛先に係るものであり、導爆線巻装具３が厚さ１ｍｍ以上、好ましくは１．５ｍｍから８．０ｍｍの厚さの水溶紙からなり、筒状であることを特徴とした衝撃波利用捕鯨用銛先である。
【００２１】
本発明に用いる水溶紙は、水に溶け易いものであればなんでもよいが、銛先の回収時間を考慮してすばやく溶けるものが好ましい。
ここで、すばやく溶けるとは、浸水した後、概ね６０秒以内に溶解又は分散することを指す。
また、坪量３０〜１２０ｇ／ｍ２のものが好ましい。さらに、単体の厚さが５０〜２００μｍのものを用いれば、筒状に成型しやすく、必要な強度も保たれ好ましい。
そのような水溶紙の原料としては、木材パルプが挙げられ、該木材パルプを主原料とした水溶紙を用いることができる。
本発明に使用し得る市販の水溶紙としては、三島製紙株式会社製、３０ＭＤＰ、６０ＭＤＰ、１２０ＭＤＰ、３０ＣＤ−２、６０ＣＤ−２が挙げられる。
【実施例】
【００２２】
以下、本発明の実施例を図１に即して説明する。本発明は、本実施例によって何ら制限されるものではない。
【００２３】
実施例
導爆線巻装具３の水溶紙には、三島製紙株式会社製、１２０ＭＤＰを用い、内径２５.４ｍｍ、外径２７．０ｍｍの筒状に成型し使用した。導爆線導入パイプの水溶紙には、三島製紙株式会社製、６０ＭＤＰを用い、衝撃波利用捕鯨用銛先を完成させた。
【００２４】
実施例の衝撃波利用捕鯨用銛先において、鯨命中後を想定し、海水に浸さなかったサンプルの起爆試験を行った結果、導爆線３は全て伝爆した。また鯨不命中時を想定し、１分及び５分間海水に浸した後、起爆試験を行った結果、導爆線巻装具３、導爆線導入パイプは海水に溶解、分散、雷管底部８と導爆線先端部６が離間したため、雷管７が起爆しても導爆線３には全て伝爆しなかった。
【図面の簡単な説明】
【００２５】
【図１】本発明の衝撃波利用捕鯨用銛先を銛頭部にネジ込み装着した縦断面図
【符号の説明】
【００２６】
１    銛先前蓋
２    鋼製外筒
３    導爆線巻装具
４    導爆線
５    導爆線導入パイプ
７    雷管
１１  ネジ
１２  摩子棒
１３  摩子薬
１４  銛先部
１５  海水流入孔
【図１】
0005234593.tif 000002